【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
複数のユーザの端末と、売買取引を管理する電子商取引管理サーバとが電気通信回線網を介して接続可能な電子商取引システムにおける電子商取引管理サーバであって、
前記電子商取引管理サーバは、さらに、クレジットカードの与信情報を管理する与信情報管理サーバと接続可能であり、
注文する商品を決定したユーザの端末から、注文形態の情報、決済情報を含む注文者の情報、商品の受取人の情報、及び、賛同者候補のメールアドレスを取得する注文情報取得手段と、
前記注文形態の情報、前記注文者の情報、前記受取人の情報、及び、前記注文者の決済情報として該注文者のクレジットカード情報を取得したとき、前記注文する商品の代金総額に相当する与信枠の確保を前記取得した注文者のクレジットカード情報に係るクレジットカード会社の与信情報管理サーバに要求する注文者与信枠確保手段と、
前記注文者の与信枠が確保されたとき、前記取得した賛同者候補のメールアドレス宛に、賛同者候補の情報を入力するページへのアクセス情報を記載した賛同募集メールを送信する賛同募集メール送信手段と、
前記賛同者候補のユーザ端末からの要求に応じて前記賛同者候補の情報を入力するページを送信し、該ページに入力された決済情報を含む賛同者候補の情報を受信する賛同者候補情報取得手段と、
前記賛同者候補の決済情報としてクレジットカード情報を取得したとき、前記注文する商品の代金総額を前記商品の代金を支払う人数で除して得られた額に相当する与信枠の確保を、前記取得した賛同者候補のクレジットカード情報に係るクレジットカード会社の与信情報管理サーバに要求する賛同者候補与信枠確保手段と、
前記賛同者候補の与信枠が確保されたとき、該賛同者候補を賛同者として確定する賛同者確定手段とを備えることを特徴とする電子商取引管理サーバ。
【請求項２】
請求項１に記載の電子商取引管理サーバにおいて、
前記注文者与信枠確保手段は、賛同者が新たに確定されるごとに、前記注文者の既に確保されている与信枠を、前記注文する商品の代金総額を前記商品の代金を支払う人数で除して得られた額に減額し、
前記賛同者候補与信枠確保手段は、賛同者が新たに確定されるごとに、前記確定した賛同者の既に確保されている与信枠を、前記注文する商品の代金総額を前記商品の代金を支払う人数で除して得られた額に減額することを特徴とする電子商取引管理サーバ。
【請求項３】
請求項２に記載の電子商取引管理サーバにおいて、
前記受取人の情報には、メールアドレスが含まれており、
前記注文者により指定されたすべての賛同者候補が前記賛同者候補の情報を入力するページに情報を入力したとき、前記受取人のメールアドレス宛に前記注文された商品の受取の案内メールを送信する受取案内メール送信手段と、
前記受取人の端末から、前記注文された商品の受取拒否を含む応答を取得する応答取得手段とをさらに備え、
前記応答取得手段が前記受取人の端末から前記受取拒否の応答を取得したとき、前記注文者与信枠確保手段及び前記賛同者候補与信枠確保手段は、前記注文者又は確定済の賛同者の既に確保されている与信枠を返還することを特徴とする電子商取引管理サーバ。
【請求項４】
請求項３に記載の電子商取引管理サーバにおいて、前記注文情報取得手段は、注文する商品を決定したユーザの端末から、前記注文者が指定した募集人数を取得し、
前記受取案内メール送信手段は、確定済の賛同者の人数が前記募集人数に達したとき、前記受取人のメールアドレス宛に前記注文された商品の受取の案内メールを送信することを特徴とする電子商取引管理サーバ。
【請求項５】
請求項３又は４に記載の電子商取引管理サーバにおいて、
前記注文情報取得手段は、注文する商品を決定したユーザの端末から、前記注文者が指定した募集期限を取得し、
前記受取案内メール送信手段は、前記募集期限が経過したとき、前記受取人のメールアドレス宛に前記注文された商品の受取の案内メールを送信することを特徴とする電子商取引管理サーバ。
【請求項６】
請求項１に記載の電子商取引管理サーバにおいて、
前記注文者与信枠確保手段は、前記注文者により指定されたすべての賛同者候補が前記賛同者候補の情報を入力するページに情報を入力したとき、前記注文者の既に確保されている与信枠を、前記注文する商品の代金総額を前記商品の代金を支払う人数で除して得られた額に減額し、
前記賛同者候補与信枠確保手段は、前記注文者により指定されたすべての賛同者候補が前記賛同者候補の情報を入力するページに情報を入力したとき、各賛同者の既に確保されている与信枠を、前記注文する商品の代金総額を前記商品の代金を支払う人数で除して得られた額に減額することを特徴とする電子商取引管理サーバ。
【請求項７】
請求項１又は６に記載の電子商取引管理サーバにおいて、前記注文情報取得手段は、注文する商品を決定したユーザの端末から、前記注文者が指定した募集人数を取得し、前記注文者与信枠確保手段は、確定済の賛同者の人数が前記募集人数に達したとき、前記注文者の既に確保されている与信枠を、前記注文する商品の代金総額を前記商品の代金を支払う人数で除して得られた額に減額し、
前記賛同者候補与信枠確保手段は、確定済の賛同者の人数が前記募集人数に達したとき、各確定済の賛同者の既に確保されている与信枠を、前記注文する商品の代金総額を前記商品の代金を支払う人数で除して得られた額に減額することを特徴とする電子商取引管理サーバ。
【請求項８】
請求項１，６，７のいずれか一項に記載の電子商取引管理サーバにおいて、
前記注文情報取得手段は、注文する商品を決定したユーザの端末から、前記注文者が指定した募集期限を取得し、前記賛同者候補情報取得手段は、前記募集期限内に限り、前記賛同者候補のユーザ端末からの要求に応じて前記賛同者候補の情報を入力するページを送信し、該ページに入力された決済情報を含む賛同者候補の情報を受信し、
前記注文者与信枠確保手段は、前記募集期限が経過したとき、前記注文者の既に確保されている与信枠を、前記注文する商品の代金総額を前記商品の代金を支払う人数で除して得られた額に減額し、
前記賛同者候補与信枠確保手段は、前記募集期限が経過したとき、各確定済の賛同者の既に確保されている与信枠を、前記注文する商品の代金総額を前記商品の代金を支払う人数で除して得られた額に減額することを特徴とする電子商取引管理サーバ。
【請求項９】
請求項６〜８のいずれか一項に記載の電子商取引管理サーバにおいて、
前記受取人の情報には、メールアドレスが含まれており、
前記注文者与信枠確保手段及び前記賛同者候補与信枠確保手段が、前記注文者及び確定済の賛同者の与信枠の減額をしたときに、前記受取人のメールアドレス宛に前記注文された商品の受取の案内メールを送信する受取案内メール送信手段と、
前記受取人の端末から、前記注文された商品の受取拒否を含む応答を取得する応答取得手段とをさらに備え、
前記応答取得手段が前記受取人の端末から前記受取拒否の応答を取得したとき、前記注文者与信枠確保手段及び前記賛同者候補与信枠確保手段は、前記注文者又は確定済の賛同者の既に確保されている与信枠を返還することを特徴とする電子商取引管理サーバ。
【請求項１０】
複数のユーザの端末と、売買取引を管理する電子商取引管理サーバとが電気通信回線網を介して接続可能な電子商取引システムにおける電子商取引管理サーバによる決済方法であって、
前記電子商取引管理サーバは、さらに、クレジットカードの与信情報を管理する与信情報管理サーバと接続可能であり、
注文する商品を決定したユーザの端末から、注文形態の情報、決済情報を含む注文者の情報、商品の受取人の情報、及び、賛同者候補のメールアドレスを取得する注文情報取得ステップと、
前記注文形態の情報、前記注文者の情報、前記受取人の情報、及び前記注文者の決済情報として該注文者のクレジットカード情報を取得したとき、前記注文する商品の代金総額に相当する与信枠の確保を前記取得した注文者のクレジットカード情報に係るクレジットカード会社の与信情報管理サーバに要求する注文者与信枠確保ステップと、
前記注文者の与信枠が確保されたとき、前記取得した賛同者候補のメールアドレス宛に、賛同者候補の情報を入力するページへのアクセス情報を記載した賛同募集メールを送信する賛同募集メール送信ステップと、
前記賛同者候補のユーザ端末からの要求に応じて前記賛同者候補の情報を入力するページを送信し、該ページに入力された決済情報を含む賛同者候補の情報を受信する賛同者候補情報取得ステップと、
前記賛同者候補の決済情報としてクレジットカード情報を取得したとき、前記注文する商品の代金総額を前記商品の代金を支払う人数で除して得られた額に相当する与信枠の確保を、前記取得した賛同者候補のクレジットカード情報に係るクレジットカード会社の与信情報管理サーバに要求する賛同者候補与信枠確保ステップと、
前記賛同者候補の与信枠が確保されたとき、該賛同者候補を賛同者として確定する賛同者確定ステップとを備えることを特徴とする電子商取引管理サーバによる決済方法。
【請求項１１】
請求項１〜９のいずれか一項に記載の電子商取引管理サーバが備える各手段を、コンピュータに機能として実現させるためのプログラム。
【手続補正２】
【補正対象書類名】明細書
【補正対象項目名】０００７
【補正方法】変更
【補正の内容】
【０００７】
上記目的を達成するため、本発明は、複数のユーザの端末と、売買取引を管理する電子商取引管理サーバとが電気通信回線網を介して接続可能な電子商取引システムにおける電子商取引管理サーバであって、前記電子商取引管理サーバは、さらに、クレジットカードの与信情報を管理する与信情報管理サーバと接続可能であり、注文する商品を決定したユーザの端末から、注文形態の情報、決済情報を含む注文者の情報、商品の受取人の情報、及び、賛同者候補のメールアドレスを取得する注文情報取得手段と、前記注文形態の情報、前記注文者の情報、前記受取人の情報、及び、前記注文者の決済情報として該注文者のクレジットカード情報を取得したとき、前記注文する商品の代金総額に相当する与信枠の確保を前記取得した注文者のクレジットカード情報に係るクレジットカード会社の与信情報管理サーバに要求する注文者与信枠確保手段と、前記注文者の与信枠が確保されたとき、前記取得した賛同者候補のメールアドレス宛に、賛同者候補の情報を入力するページへのアクセス情報を記載した賛同募集メールを送信する賛同募集メール送信手段と、前記賛同者候補のユーザ端末からの要求に応じて前記賛同者候補の情報を入力するページを送信し、該ページに入力された決済情報を含む賛同者候補の情報を受信する賛同者候補情報取得手段と、前記賛同者候補の決済情報としてクレジットカード情報を取得したとき、前記注文する商品の代金総額を前記商品の代金を支払う人数で除して得られた額に相当する与信枠の確保を、前記取得した賛同者候補のクレジットカード情報に係るクレジットカード会社の与信情報管理サーバに要求する賛同者候補与信枠確保手段と、前記賛同者候補の与信枠が確保されたとき、該賛同者候補を賛同者として確定する賛同者確定手段とを備えることを特徴とする。
【手続補正３】
【補正対象書類名】明細書
【補正対象項目名】０００８
【補正方法】変更
【補正の内容】
【０００８】
前記注文者与信枠確保手段は、賛同者が新たに確定されるごとに、前記注文者の既に確保されている与信枠を、前記注文する商品の代金総額を前記商品の代金を支払う人数で除して得られた額に減額し、前記賛同者候補与信枠確保手段は、賛同者が新たに確定されるごとに、前記確定した賛同者の既に確保されている与信枠を、前記注文する商品の代金総額を前記商品の代金を支払う人数で除して得られた額に減額してもよい。
前記受取人の情報には、メールアドレスが含まれており、前記注文者により指定されたすべての賛同者候補が前記賛同者候補の情報を入力するページに情報を入力したとき、前記受取人のメールアドレス宛に前記注文された商品の受取の案内メールを送信する受取案内メール送信手段と、前記受取人の端末から、前記注文された商品の受取拒否を含む応答を取得する応答取得手段とをさらに備え、前記応答取得手段が前記受取人の端末から前記受取拒否の応答を取得したとき、前記注文者与信枠確保手段及び前記賛同者候補与信枠確保手段は、前記注文者又は確定済の賛同者の既に確保されている与信枠を返還してもよい。
【手続補正４】
【補正対象書類名】明細書
【補正対象項目名】０００９
【補正方法】変更
【補正の内容】
【０００９】
前記注文情報取得手段は、注文する商品を決定したユーザの端末から、前記注文者が指定した募集人数を取得し、前記受取案内メール送信手段は、確定済の賛同者の人数が前記募集人数に達したとき、前記受取人のメールアドレス宛に前記注文された商品の受取の案内メールを送信してもよい。
前記注文情報取得手段は、注文する商品を決定したユーザの端末から、前記注文者が指定した募集期限を取得し、前記受取案内メール送信手段は、前記募集期限が経過したとき、前記受取人のメールアドレス宛に前記注文された商品の受取の案内メールを送信してもよい。
前記注文者与信枠確保手段は、前記注文者により指定されたすべての賛同者候補が前記賛同者候補の情報を入力するページに情報を入力したとき、前記注文者の既に確保されている与信枠を、前記注文する商品の代金総額を前記商品の代金を支払う人数で除して得られた額に減額し、前記賛同者候補与信枠確保手段は、前記注文者により指定されたすべての賛同者候補が前記賛同者候補の情報を入力するページに情報を入力したとき、各賛同者の既に確保されている与信枠を、前記注文する商品の代金総額を前記商品の代金を支払う人数で除して得られた額に減額してもよい。
【手続補正５】
【補正対象書類名】明細書
【補正対象項目名】００１０
【補正方法】変更
【補正の内容】
【００１０】
前記注文情報取得手段は、注文する商品を決定したユーザの端末から、前記注文者が指定した募集人数を取得し、前記注文者与信枠確保手段は、確定済の賛同者の人数が前記募集人数に達したとき、前記注文者の既に確保されている与信枠を、前記注文する商品の代金総額を前記商品の代金を支払う人数で除して得られた額に減額し、前記賛同者候補与信枠確保手段は、確定済の賛同者の人数が前記募集人数に達したとき、各確定済の賛同者の既に確保されている与信枠を、前記注文する商品の代金総額を前記商品の代金を支払う人数で除して得られた額に減額してもよい。
前記注文情報取得手段は、注文する商品を決定したユーザの端末から、前記注文者が指定した募集期限を取得し、前記賛同者候補情報取得手段は、前記募集期限内に限り、前記賛同者候補のユーザ端末からの要求に応じて前記賛同者候補の情報を入力するページを送信し、該ページに入力された決済情報を含む賛同者候補の情報を受信し、前記注文者与信枠確保手段は、前記募集期限が経過したとき、前記注文者の既に確保されている与信枠を、前記注文する商品の代金総額を前記商品の代金を支払う人数で除して得られた額に減額し、前記賛同者候補与信枠確保手段は、前記募集期限が経過したとき、各確定済の賛同者の既に確保されている与信枠を、前記注文する商品の代金総額を前記商品の代金を支払う人数で除して得られた額に減額してもよい。
【手続補正６】
【補正対象書類名】明細書
【補正対象項目名】００１１
【補正方法】変更
【補正の内容】
【００１１】
前記受取人の情報には、メールアドレスが含まれており、前記注文者与信枠確保手段及び前記賛同者候補与信枠確保手段が、前記注文者及び確定済の賛同者の与信枠の減額をしたときに、前記受取人のメールアドレス宛に前記注文された商品の受取の案内メールを送信する受取案内メール送信手段と、前記受取人の端末から、前記注文された商品の受取拒否を含む応答を取得する応答取得手段とをさらに備え、前記応答取得手段が前記受取人の端末から前記受取拒否の応答を取得したとき、前記注文者与信枠確保手段及び前記賛同者候補与信枠確保手段は、前記注文者又は確定済の賛同者の既に確保されている与信枠を返還してもよい。
【手続補正７】
【補正対象書類名】明細書
【補正対象項目名】００１２
【補正方法】変更
【補正の内容】
【００１２】
また、上記目的を達成するため、本発明は、複数のユーザの端末と、売買取引を管理する電子商取引管理サーバとが電気通信回線網を介して接続可能な電子商取引システムにおける電子商取引管理サーバによる決済方法であって、前記電子商取引管理サーバは、さらに、クレジットカードの与信情報を管理する与信情報管理サーバと接続可能であり、注文する商品を決定したユーザの端末から、注文形態の情報、決済情報を含む注文者の情報、商品の受取人の情報、及び、賛同者候補のメールアドレスを取得する注文情報取得ステップと、前記注文形態の情報、前記注文者の情報、前記受取人の情報、及び前記注文者の決済情報として該注文者のクレジットカード情報を取得したとき、前記注文する商品の代金総額に相当する与信枠の確保を前記取得した注文者のクレジットカード情報に係るクレジットカード会社の与信情報管理サーバに要求する注文者与信枠確保ステップと、前記注文者の与信枠が確保されたとき、前記取得した賛同者候補のメールアドレス宛に、賛同者候補の情報を入力するページへのアクセス情報を記載した賛同募集メールを送信する賛同募集メール送信ステップと、前記賛同者候補のユーザ端末からの要求に応じて前記賛同者候補の情報を入力するページを送信し、該ページに入力された決済情報を含む賛同者候補の情報を受信する賛同者候補情報取得ステップと、前記賛同者候補の決済情報としてクレジットカード情報を取得したとき、前記注文する商品の代金総額を前記商品の代金を支払う人数で除して得られた額に相当する与信枠の確保を、前記取得した賛同者候補のクレジットカード情報に係るクレジットカード会社の与信情報管理サーバに要求する賛同者候補与信枠確保ステップと、前記賛同者候補の与信枠が確保されたとき、該賛同者候補を賛同者として確定する賛同者確定ステップとを備えることを特徴とする。
【手続補正８】
【補正対象書類名】明細書
【補正対象項目名】０１１３
【補正方法】変更
【補正の内容】
【０１１３】
（４−３（ａ）．案内メールの送信）
図６に示すように、仮想商店街管理サーバ１０は、注文情報データベース１４に記憶されている注文情報のうち、注文ステータスが「募集期限経過待ち」であるものを検索し、読出す（Ｓ６０５）。
続いて、読出した処理対象の注文情報の件数を変数ｋに入力する（Ｓ６１０）。また、変数ｉに１を代入する。
【手続補正９】
【補正対象書類名】明細書
【補正対象項目名】０１１４
【補正方法】変更
【補正の内容】
【０１１４】
続いて、仮想商店街管理サーバ１０は、次の処理を繰り返す。
（１）ｉ番目に読み出した注文情報の募集期限が経過しているか否かを判定する（Ｓ６２０ａ）。募集期限が経過しているとき（Ｓ６２０ａでＹｅｓ）、下記（２）に進む。一方、募集期限が経過していないとき（Ｓ６２０ａでＮｏ）、下記（４）に進む。
（２）ｉ番目に読み出した注文情報を更新する（Ｓ６２５）。ここでは、注文ステータスを「受取手続待ち」に変更する。
（３）共同ギフトの案内メールを生成し、受取人のメールアドレス宛に送信する（Ｓ３０５ｃ）。
（４）ｉにｉ＋１を代入する（Ｓ６３０）。
（５）「ｉ＞ｋ」の真偽を判定する（Ｓ６３５）。真のとき（Ｓ６３５でＹｅｓ）、ループを抜けて終了する。一方、偽のとき（Ｓ６３５でＮｏ）、上記（１）に戻る。
【手続補正１０】
【補正対象書類名】明細書
【補正対象項目名】０１２２
【補正方法】変更
【補正の内容】
【０１２２】
図８に示すように、仮想商店街管理サーバ１０は、注文情報データベース１４に記憶されている注文情報のうち、注文ステータスが「募集期限経過待ち」であるものを検索し、読出す（Ｓ６０５）。
続いて、読出した処理対象の注文情報の件数を変数ｋに入力する（Ｓ６１０）。また、変数ｉに１を代入する。
【手続補正１１】
【補正対象書類名】明細書
【補正対象項目名】０１２３
【補正方法】変更
【補正の内容】
【０１２３】
続いて、仮想商店街管理サーバ１０は、次の処理を繰り返す。
（１）ｉ番目に読み出した注文情報につき「手続完了済の賛同者候補数」が「募集人数」に等しいか否かを判定する（Ｓ６２０ｂ）。「手続完了済の賛同者候補数」が「募集人数」に等しいとき（Ｓ６２０ｂでＹｅｓ）、下記（２）に進む。一方、「手続完了済の賛同者候補数」が「募集人数」に等しくないとき（Ｓ６２０ｂでＮｏ）、下記（４）に進む。
（２）ｉ番目に読み出した注文情報を更新する（Ｓ６２５）。ここでは、注文ステータスを「受取手続待ち」に変更する。
（３）共同ギフトの案内メールを生成し、受取人のメールアドレス宛に送信する（Ｓ３０５ｃ）。
（４）ｉにｉ＋１を代入する（Ｓ６３０）。
（５）「ｉ＞ｋ」の真偽を判定する（Ｓ６３５）。真のとき（Ｓ６３５でＹｅｓ）、ループを抜けて終了する。一方、偽のとき（Ｓ６３５でＮｏ）、上記（１）に戻る。
【手続補正１２】
【補正対象書類名】図面
【補正対象項目名】図６
【補正方法】変更
【補正の内容】
【図６】
2009205434.tif 000001
【手続補正１３】
【補正対象書類名】図面
【補正対象項目名】図８
【補正方法】変更
【補正の内容】
【図８】
2009205434.tif 000002
【手続補正１４】
【補正対象書類名】図面
【補正対象項目名】図１４
【補正方法】変更
【補正の内容】
【図１４】
2009205434.tif 000003